(57)【要約】【課題】本発明は上記問題点を解消し、外部電磁波ノイズの影響を最小限に抑え、本来の測定波形、測定値と近似する測定結果が得られるようにした電気信号抽出装置を提供する。【解決手段】検出すべき電子回路の電気信号被抽出部の端子を把持する２本の細い金属線材３と、この金属線材３の先端部を開閉可能に保持する金属製保持部材２と、上記金属線材３を開閉させる開閉機構とを備え、上記金属線材３で抽出した電気信号を上記保持部材２を介して測定機器類に入力させる。【選択図】        図１
2004309200.tif 000002
【特許請求の範囲】
【請求項１】
検出すべき電子回路の電気信号被抽出部の端子を把持する２本の細い金属線材３と、この金属線材３の先端把持部７を開閉可能に保持する金属製保持部材２と、上記金属線材３を開閉させる開閉機構とを備え、上記金属線材３で抽出した電気信号を上記保持部材２を介して測定機器類に入力させることを特徴とする電気信号抽出装置。
【発明の詳細な説明】
【０００１】
【発明の属する技術分野】
本発明は、電気信号抽出装置、詳しくは電子・電気機器の検査、調整、修理等の際に、これらの機器の回路部分から測定用電気信号を抽出する電気信号抽出装置に関する。
【０００２】
【従来技術とその問題点】
印刷された電子回路基板上等に装着される小型電子部品の端子から、当該電子・電気機器の検査、調整、修理等のために測定用電気信号を抽出するためには、電気信号抽出装置によって測定機器信号入力部と被抽出部とを電気的に接続させる必要がある。
【０００３】
従来の電気信号抽出装置の構造は、電子回路の電気信号抽出部の端子を把持する把持部７を先端に有する金属線をそのまま後部に延長し、中間部にはバネ等を利用した引っ張り、押し出し機構を付加し、さらに最後部まで延長して測定機器入力部と電気導線で接続するものであった（例えば、特許文献１参照）。
【０００４】
【特許文献１】特開２００１−５０９７８公報
【発明が解決しようとする課題】
しかしながら、上記構造では、把持機能を構成するための金属線材３の全長は把持機能そのものに最低限必要な長さの１０倍〜２０倍程度になっていた。しかし、この数年、電子技術が飛躍的に進歩し、オシロスコープのプローブ先端部から電気信号抽出装置などを経て回路端子に至る金属線材３が長ければ長いほど、その周囲の外部電磁波ノイズを拾うこと、またこの部分が接続途中の電気回路素子として作動することによって、測定結果が本来の測定波形、測定値と大きく異なり、測定技術の進歩にとって大きな障害になっている。
【０００５】
本発明は上記問題点を解消し、外部電磁波ノイズの影響を最小限に抑え、本来の測定波形、測定値と近似する測定結果が得られるようにした電気信号抽出装置を提供することをその課題とする。
【０００６】
【課題を解決するための手段】
前記課題を解決するため、本発明に係る電気信号抽出装置は、検出すべき電子回路の電気信号被抽出部の端子を把持する２本の細い金属線材３と、この金属線材３の先端把持部７を開閉可能に保持する金属製保持部材２と、上記金属線材３を開閉させる開閉機構とを備え、上記金属線材３で抽出した電気信号を上記保持部材２を介して測定機器類に入力させることを特徴とする。
【０００７】
【発明の実施の形態】
図１は本発明に係る電気信号抽出装置を示すもので、この電気信号抽出装置は、装置本体１の前端に環状保持部材２を設け、該保持部材２の内部に２本の細い針金状の金属線材３を通すとともに、装置本体１には上記金属線材３を開閉させる開閉機構とを備えたもので、さらに上記保持部材２にはリード線４を介して連結ピン５が連結されている。
【０００８】
装置本体１の後部には指当て部６が設けられ、前端には銅、ニッケル等の導電性金属からなる環状保持部材２が設けられている。この保持部材２の内部には２本の細い金属線材３が通っている。これらの金属線材３はスチール等の導電性の線材で、両線材３の先端は屈曲して把持部７が形成され、基部８は一体に接合されてＶ字形になっており、固有の弾発力によって先端把持部７は常に開くように付勢されている。このため、保持部材２の内面には常に金属線材３が接触している。
【０００９】
次に、上記Ｖ字形金属線材３は操作レバー９のレバー操作によって開閉する開閉機構に連結している。すなわち、上記金属線材３の基部はスライド部材１０の前端に固定され、スライド部材１０は、装置本体１の指当て部６と保持部材２との間に形成されたスライド面１１に沿って、上記金属線材３を保持部材２の前方に前進後退可能に配置されている。なお、上記スライド面１１には前後方向に長いスライド孔１２が貫通形成され、スライド孔１２には上記スライド部材１０の両側に形成された側片１３を連結する連結軸１４がスライド可能に係合している。したがって、スライド部材１０は上記両側片１３と連結軸１４とによってスライド面１１を包囲するように構成されているから、スライド時に必要以上に上下左右に振れないようになっている。また、装置本体１の中央部には、操作レバー９の中間部が支軸１５によって回動可能に支持されている。操作レバー９の一端の指掛け部は装置本体１の指当て部６に対向し、常時指当て部６から遠ざかるようにバネ付勢されている。また、操作レバー９の他端は上記スライド部材１０の後端に軸１６を介して連結されている。
【００１０】
なお、保持部材２にはリード線４を介して連結ピン５が連結され、連結ピン５は測定機器類に接続するプローブ１７に連結される。
【００１１】
また、装置本体１と操作レバー９とスライド部材１０は絶縁体によって構成されている。
【００１２】
上記構成によれば、２本の金属線材３は常時互いに離反して開くように付勢されているが、使用前はスライド部材１０が後退位置にあるので、図１に実線で示すように、金属線材３の先端把持部７は保持部材２の内側で互いに近接して閉じるように保持されている。
【００１３】
上記電気信号抽出装置を使用するときは、指当て部６に親指を当てて人差し指等で操作レバー９の指掛け部１８を引くことにより、操作レバー９は支軸１５を中心に回動して上記指当て部６が後方に、反対側が前方に作動するので、同時にスライド部材１０も前方にスライド移動する。これに伴ない、金属線材３は押出されて前進する。金属線材３の先端は保持部材２から前方に突出する。金属線材３は常時開くように付勢されているから、図１に点線で示すように、前進することによりその先端側部分は保持部材２から離れるので、保持が解除され、互いに離反して開く。金属線材３の先端把持部７が開いた状態で、図２に示す電子・電気機器２０の電子回路の電気信号被抽出部端子２１の両側に先端把持部７を置き、操作レバー９の指掛け部１８から力を抜くと、操作レバー９は支軸１５を中心に逆方向に回動して指掛け部１８が前方に、反対側１９が後方に作動するので、同時にスライド部材１０も前方にスライド移動し、これに伴ない、金属線材３は引き戻されて後退するから、金属線材３の先端把持部７は保持部材２によって近接するように絞られて閉じ状態となる。このため、上記端子は金属線材３の先端把持部７によってしっかりと把持され、上記端子から電気信号を抽出することができる。抽出された電気信号は、金属線材３の先端把持部７から保持部材２、リード線４、連結ピン５を経てプローブ１７に入力され、測定機器類によって測定される。
【００１４】
このように、抽出された電気信号は、金属線材３の先端把持部７から保持部材２、リード線４、連結ピン５を経てプローブ１７に送られる。金属線材３の先端把持部７と保持部材２、保持部材２とリード線４、リード線４と連結ピン５との間の距離はそれぞれ小さいから、全体としても抽出してからプローブに至るまでの距離を極端に短く、実際に約２ｍｍ程度に短縮することができる。このように、電気信号伝導金属部分が非常に短いから、周囲の外部電磁波ノイズを拾ったり、この部分が接続途中の電気回路素子として作動したりする可能性が小さくなるから、外部電磁波ノイズの影響を最小限に抑え、本来の測定波形、測定値と近似する測定結果を得ることができる。
【００１５】
なお、保持部材２は環状であるものに限定されない。
【００１６】
また、金属線材の開閉機構は必ずしも金属線材をその長手方向に移動させるものに限定されない。例えば、２本の金属線材をその中心線のまわりに回転させることによって開閉する構成でもよい。
【００１７】
【発明の効果】
請求項１に係る発明に係る電気信号抽出装置は、検出すべき電子回路の電気信号被抽出部の端子を把持する２本の細い金属線材と、この金属線材の先端部を開閉可能に保持する金属製保持部材と、上記金属線材を開閉させる開閉機構とを備え、上記金属線材で抽出した電気信号を上記保持部材を介して測定機器に入力させるものであるから、上記開閉機構により２本の金属線材を閉じて電気信号被抽出部の端子を把持することにより、上記端子から電気信号を抽出することができる。抽出された電気信号は、金属線材の先端把持部から保持部材を介して測定機器に入力される。このように、金属線材の先端把持部から保持部材を介して測定機器に至るまでの距離を極限まで短縮することができるから、外部電磁波ノイズの影響を最小限に抑え、本来の測定波形、測定値と近似する測定結果を得ることができる。
【図面の簡単な説明】
【図１】本発明に係る電気信号抽出装置の斜視図
【図２】上記電気信号抽出装置の使用態様の説明図
【符号の説明】
１  装置本体
２  保持部材
３  金属線材
【図１】
2004309200.tif 000003
【図２】
2004309200.tif 000004